【手続補正書】
【提出日】平成19年4月23日(2007.4.23)
【手続補正１】
【補正対象書類名】特許請求の範囲
【補正対象項目名】全文
【補正方法】変更
【補正の内容】
【特許請求の範囲】
【請求項１】
その上に１つまたは複数の爆発性の薬剤が被着されている基板を備え、爆発性の薬剤の少なくとも１つが、結合剤、少なくとも１つの金属および少なくとも１つの非金属を備え、非金属が、金属酸化物、またはグループＩＩＩまたはグループＩＶからのいずれかの非金属から選択される爆発デバイスであって、金属および非金属粒子が直径１０μｍ以下であることを特徴とする爆発デバイス。
【請求項２】
金属および／または非金属粒子が直径１μｍ以下である請求項１に記載の爆発デバイス。
【請求項３】
金属および／または非金属粒子が直径０．１μｍ以下である請求項２に記載の爆発デバイス。
【請求項４】
被着される薬剤が、６０を超える鈍感性の値を有する鈍感性の爆発性の薬剤を含む請求項１から３のいずれか一項に記載の爆発デバイス。
【請求項５】
鈍感性の値が１５０を超える請求項４に記載の爆発デバイス。
【請求項６】
金属が、アルミニウム、チタニウムまたは鉄から選択される請求項１から５のいずれか一項に記載の爆発デバイス。
【請求項７】
非金属が、ケイ素、ボロンまたは炭素から選択される請求項１から６のいずれか一項に記載の爆発デバイス。
【請求項８】
金属酸化物が、酸化銅、酸化モリブデンまたは酸化ニッケルから選択される請求項１から６のいずれか一項に記載の爆発デバイス。
【請求項９】
金属がケイ素であり、非金属がボロンまたは炭素である請求項１から５のいずれか一項に記載の爆発デバイス。
【請求項１０】
結合剤が、インク樹脂から選択される請求項１から９のいずれか一項に記載の爆発デバイス。
【請求項１１】
インク樹脂が、エポキシ樹脂またはウレタンから選択される請求項１０に記載の爆発デバイス。
【請求項１２】
結合剤が、エネルギー結合剤である請求項１から９のいずれかに記載の爆発デバイス。
【請求項１３】
エネルギー結合剤が、Ｐｏｌｙｇｌｙｎ（グリシジルニトレートポリマー）、ＧＡＰ（グリシジルアジドポリマー）またはＰｏｌｙｎｉｍｍｏ（３−ニトレートメチル−３−メチルオキシタンポリマー）から選択される請求項１２に記載の爆発デバイス。
【請求項１４】
結合剤が、体積で爆発性の薬剤の１０％から５０％の範囲で存在している請求項１から１３のいずれか一項に記載の爆発デバイス。
【請求項１５】
結合剤が、体積で爆発性薬剤の３０％から４０％の範囲で存在している請求項１４に記載の爆発デバイス。
【請求項１６】
基板が不活性基板である請求項１から１５に記載の爆発デバイス。
【請求項１７】
不活性基板が、ポリエステル、ポリイミド、紙、ＰＥＴ、ポリスチレンまたはセラミックから選択された請求項１６に記載の爆発デバイス。
【請求項１８】
基板が、圧密された爆発性の材料の表面を備える請求項１から１５のいずれか一項に記載の爆発デバイス。
【請求項１９】
被着された爆発性の薬剤が、使用中、加熱素子が爆発性の薬剤を点火するように、加熱素子と接続されている請求項１から１８のいずれか一項に記載の、イニシエータの形態である爆発デバイス。
【請求項２０】
被着された爆発性の薬剤が、使用中、加熱素子を前記爆発性の材料と接続する爆薬列を形成するために、加熱素子および爆発性の材料と接続されている請求項１から１９のいずれか一項に記載の爆発デバイス。
【請求項２１】
爆発性の薬剤が、爆発性の材料の点火の前に所望の遅延時間を使用中提供するように選択された長さを有する細長いパターンで基板上に被着される請求項２０に記載の爆発デバイス。
【請求項２２】
爆発性の薬剤が、らせん状またはジグザグ状のパターンで基板上に被着される請求項２１に記載の爆発デバイス。
【請求項２３】
被着される爆発性の薬剤が、加熱素子によって点火されたとき、爆発性の薬剤が、爆発性の薬剤が尽きるまで増加するエネルギー出力で燃焼するような形状で基板上に配置される請求項１９から２２のいずれか一項に記載の爆発デバイス。
【請求項２４】
被着される爆発性の薬剤が、円形の形状で実質上形成され、加熱素子がその中央に配置されている請求項２３に記載の爆発デバイス。
【請求項２５】
被着される爆発性の薬剤が、加熱素子がその頂点に配置された実質上円のセグメントである形状で基板上に被着される請求項２３に記載の爆発デバイス。
【請求項２６】
基板が、１つまたは複数の空隙を有し、爆発性の薬剤が前記空隙を充填する請求項１から１８のいずれか一項に記載の爆発デバイス。
【請求項２７】
基板が、その中に爆発性の薬剤が被着される複数の空隙を有し、推力を供給するために爆発性の薬剤の前記被着物を選択的に点火するための手段をさらに備える請求項１から１５のいずれか一項に記載の爆発デバイスを含むマイクロスラスタデバイス。
【請求項２８】
空隙が、０．２５ｍｍから１．０ｍｍの範囲の直径を有する請求項２７に記載のマイクロスラスタデバイス。
【請求項２９】
被着された爆発性の薬剤が、使用中、デバイスが、前記素子をガスを発生させる爆発性の材料と接続する爆薬列を形成するように、加熱素子と、およびガスを発生させる爆発性の材料と接続されている請求項１９から２５のいずれかに記載の爆発デバイスを備えるガス発生器用のイニシエータ。
【請求項３０】
使用中、発生されたガスが、車両、船または航空機内に配置されたエアバッグを膨張させる請求項２９に記載のガス発生器用のイニシエータ。
【請求項３１】
発生されたガスが、車両、船または航空機内の乗客を拘束するためにシートベルトプリテンショナを駆動する請求項３０に記載のガス発生器用のイニシエータ。
【請求項３２】
被着された爆発性の薬剤が、使用中、着色された光または音の放出を生じさせるための１つまたは複数のグループ１またはグループ２金属塩をさらに備える請求項１から１６のいずれか一項に記載の爆発デバイスを備える火工デバイス。
【請求項３３】
ａ）結合剤の一部分を１０μｍ未満の直径を有する粒子の形態の少なくとも１つの金属と混合するステップと、
ｂ）結合剤のさらなる部分を少なくとも１つの非金属と混合し、非金属が、１０μｍ未満の直径を有する粒子の形態の金属酸化物、またはグループＩＩＩまたはグループＩＶからのいずれかの非金属から選択されるステップと、
ｃ）爆発性の薬剤を提供するために、ａ）およびｂ）の生産物を一緒に混合するステップと、
ｄ）そのようにして作成された薬剤を基板上に被着させるステップと、
ｅ）薬剤を前記基板上で乾燥させるステップとを含む
爆発デバイスを作成する方法。
【請求項３４】
ステップ（ｄ）での被着プロセスが、噴霧、ブラシング、浸漬またはプリントによる請求項３３に記載の爆発性のデバイスを作成する方法。
【請求項３５】
プリントが、湿式プリント法によって達成される請求項３４に記載の方法。
【請求項３６】
湿式プリント法が、インクジェット、バブルジェット（登録商標）、スクリーンプリントまたはグラビアから選択される請求項３５に記載の方法。
【請求項３７】
爆発性のインクのジェットを噴霧するためのノズルを有するプリント装置内に爆発性の薬剤を装填するステップを含む請求項３５に記載の方法。
【請求項３８】
デバイスが宇宙空間装置または航空機で使用するためのマイクロスラスタデバイスであり、かつ基板が爆発性の薬剤の被着物で充填される複数の空隙を有する請求項３３から３７のいずれか一項に記載の爆発デバイスを作製する方法。
【請求項３９】
デバイスが、車両、船または航空機内で使用するためのガス発生デバイスであり、請求項３３のステップ（ｄ）の基板が加熱素子であり、かつ前記方法が、
ｆ）ガスを発生する爆発性の材料をステップ（ｄ）の生産物と密接に接触させて配置するステップと、
ｇ）ステップ（ｆ）の生産物を適切な密閉手段内に配置するステップとを含む
請求項３３から３７のいずれか一項に記載の爆発デバイスを作製する方法。
【請求項４０】
ａ）少なくとも１つの金属および／または少なくとも１つの非金属混合物が装置内で別々に保持されるように、プリント装置に、１０μｍ未満の直径を有する粒子の形態の少なくとも１つの金属との結合剤の混合物を、および１０μｍ未満の直径を有する粒子の形態の金属酸化物、またはグループＩＩＩまたはグループＩＶからのいずれかの非金属から選択される少なくとも１つの非金属との結合剤の混合物を装填するステップと、
ｂ）少なくとも１つの金属および少なくとも１つの非金属混合物の選択されたアリコートを吸い上げ、それを爆発性の薬剤を基板上に被着させる装置の動作の直前にその場で混合するステップとを含む
爆発性の薬剤を被着させる方法。
【請求項４１】
金属および非金属粒子が直径１μｍ以下である請求項４０に記載の爆発性の薬剤を被着させる方法。
【請求項４２】
金属および非金属粒子が直径０．１μｍ以下である請求項４１に記載の爆発性の薬剤を被着させる方法。
【請求項４３】
揮発性の有機溶媒を伴う、請求項１から１６のいずれか一項に記載の爆発性の薬剤を備える爆発性のインク。
【請求項４４】
揮発性の有機溶媒が、低アルキルアルコール、ケトンまたはエーテルからまたはＣ５からＣ１０の範囲の石油エーテルから選択される請求項４３に記載の爆発性のインク。
【請求項４５】
金属および／または非金属粒子が直径１μｍ以下である請求項４３または４４のいずれかに記載の爆発性のインク。
【請求項４６】
金属および／または非金属粒子が直径０．１μｍ以下である請求項４５に記載の爆発性のインク。